(57)【要約】【課題】生ゴミと破片ゴミを装置内で分離することにより分別を確実に行い得る生ゴミ分別装置を提供する。【解決手段】分別装置１は、スラリー状の生ゴミ中にプラスチック類や紙類などの破片ゴミが混じった混合ゴミを投入する投入口２、スラリー状の生ゴミを排出する生ゴミ排出口３、前記破片ゴミを排出する破片ゴミ排出口４を有する装置本体５と、多数の透孔６を周面に有するとともに、前記生ゴミ排出口３に対応するように前記装置本体５内に配置した筒状スクリーン７と混合ゴミを叩打しながら前記筒状スクリーン７に移送する移送スクリウ９と、前記移送スクリウ９の同一軸線上に設けたシャフト１０に多数突設し、前記筒状スクリーン７内において前記混合ゴミを叩打しながら分離した破片ゴミを破片ゴミ排出口４に向けて移送する一方、スラリー状の生ゴミは筒状スクリーン７の透孔６から生ゴミ排出口３へ排出するように構成したパドル１１を備える。【選択図】図１
2010082559.tif 000002
【特許請求の範囲】
【請求項１】
スラリー状の生ゴミ中にプラスチック類や紙類などの破片ゴミが混じった混合ゴミを投入する投入口、スラリー状の生ゴミを排出する生ゴミ排出口、前記破片ゴミを排出する破片ゴミ排出口を有する装置本体と、スラリー状の生ゴミを通過させる多数の透孔を周面に有するとともに、前記生ゴミ排出口に対応するように前記装置本体内に配置した筒状スクリーンと、前記投入口から投入された前記混合ゴミを前記筒状スクリーン内に移送する回転可能な移送スクリウと、前記移送スクリウと同一軸線上に設けた回転可能なシャフトに多数突設し、前記筒状スクリーン内において前記混合ゴミを叩打しながら分離した破片ゴミを破片ゴミ排出口に向けて移送する一方、スラリー状の生ゴミは筒状スクリーンの透孔から生ゴミ排出口へ排出するように構成したパドルとを備えた生ゴミ分別装置。
【請求項２】
各パドルは、シャフトの軸線と所定角度をなすよう傾斜してシャフトに放射状に突設するとともに、シャフトの軸方向に所定間隔をおいて多数配設し、シャフトの回転にともなう各パドルの回転力で、スラリー状の生ゴミを筒状スクリーンの透孔から排出する一方、同回転力で生じた風により軽量の破片ゴミを選別し、非軽量の破片ゴミとともに破片ゴミ排出口から排出するよう構成したことを特徴とする請求項１に記載の生ゴミ分別装置。
【請求項３】
各パドルは、シャフトに取り外し可能に設けたパドル杆と、パドル杆の先端に設けたパドル板とからなり、パドル杆は長さ調節可能、かつ回転調節可能であることを特徴とする請求項１又は請求項２に記載の生ゴミ分別装置。
【請求項４】
筒状スクリーンの外面には、筒状スクリーンの目詰まりを解消する掻き落し部材を設け、この掻き落とし部材は、筒状スクリーン両端部に対応位置した装置本体に設ける支持部に揺動可能に支持された一対のリング板と、筒状スクリーンの外面に沿ってその長手方向に伸びるように、前記各リング板間を配置したブラシ部と、前記リング板に所定間隔をおいて円弧状に配置した複数のブッシュと、この各ブッシュに噛合するとともに、回転方向を前記リング板の所定の回動変位位置で反転し得るように駆動するスプロケットとからなることを特徴とする請求項１〜請求項３のいずれか１項に記載の生ゴミ分別装置。
【発明の詳細な説明】
【技術分野】
【０００１】
本発明は、生ゴミと、収容袋の破片、生ゴミ廃棄時に入り込んだ小さなプラスチック片、金属片、固形物などの破片ゴミとを分別する分別装置に係り、特に、ビニール製生ゴミ収納袋を破いて内部の生ゴミを押し出し、生ゴミ収納袋と生ゴミとを１次的に分別した後のほぼスラリー状の生ゴミ中に、さらに残存している前記袋片ゴミを除去するのに好適な生ゴミ分別装置に関する。
【背景技術】
【０００２】
従来の生ゴミ分別装置には、生ゴミ排出用の多数の篩い孔を下部に有するドラム内で攪拌羽根部を回転させ、生ゴミを前記多数の篩い孔から落下させ、一方破片ゴミは攪拌羽根部の回転で発生する送出風により巻上げてドラム上部に設けられた送出口から外部に送出するように構成したものが提案されている（特許文献１参照）。
【０００３】
【特許文献１】特開２００３−３２６１８７号公報
【発明の開示】
【発明が解決しようとする課題】
【０００４】
上記特許文献１に記載された分別機は、攪拌羽根部により混合生ゴミがドラム下部の同じ位置の篩い孔に押し付けられるので、生ゴミが篩い孔に詰まって排出しにくくなり易いうえ、破片ゴミが混じった生ゴミが篩い孔から落下し排出され、十分な分別を行いにくいという不都合がある。そして、このような破片ゴミが残存した生ゴミは、十分に醗酵させることが困難で、肥料や堆肥などへの再利用が困難であるという問題がある。
【０００５】
本発明は、前記不都合や前記問題を解決することを課題とし、この課題を解決した生ゴミ分別装置を提供することを目的とする。
【課題を解決するための手段】
【０００６】
前記目的を達成するために、請求項１に係る本発明の生ゴミ分別装置は、スラリー状の生ゴミ中にプラスチック類や紙類などの破片ゴミが混じった混合ゴミを投入する投入口、スラリー状の生ゴミを排出する生ゴミ排出口、前記破片ゴミを排出する破片ゴミ排出口を有する装置本体と、スラリー状の生ゴミを通過させる多数の透孔を周面に有するとともに、前記生ゴミ排出口に対応するように前記装置本体内に配置した筒状スクリーンと、前記投入口から投入された前記混合ゴミを前記筒状スクリーン内に移送する回転可能な移送スクリウと、前記移送スクリウと同一軸線上に設けた回転可能なシャフトに多数突設し、前記筒状スクリーン内において前記混合ゴミを叩打しながら分離した破片ゴミを破片ゴミ排出口に向けて移送する一方、スラリー状の生ゴミは筒状スクリーンの透孔から生ゴミ排出口へ排出するように構成したパドルとを備えたものである。
【０００７】
また、請求項２に係る本発明の生ゴミ分別装置は、請求項１に記載の構成を備え、各パドルは、シャフトの軸線と所定角度をなすよう傾斜してシャフトに放射状に突設するとともに、シャフトの軸方向に所定間隔をおいて多数配設し、シャフトの回転にともなう各パドルの回転力で、スラリー状の生ゴミを筒状スクリーンの透孔から排出する一方、同回転力で生じた風により軽量の破片ゴミを選別し、非軽量の破片ゴミとともに破片ゴミ排出口から排出するよう構成したものである。
【０００８】
さらに、請求項３に係る本発明の生ゴミ分別装置は、請求項１又は請求項２に記載の構成を備え、各パドルは、シャフトに取り外し可能に設けたパドル杆と、パドル杆の先端に設けたパドル板とからなり、パドル杆は長さ調節可能、かつ、回転調節可能に構成し、これによって、パドル板の筒状スクリーンとの間隔を調節可能にするとともに、シャフトの軸線に対する傾斜角度も調節可能にしたものである。
【０００９】
さらにまた、請求項４に係る本発明の生ゴミ分別装置は、請求項１〜請求項３のいずれか１項に記載の構成を備え、筒状スクリーンと外面には、筒状スクリーンの目詰まりを解消する掻き落し部材を設け、この掻き落とし部材は、筒状スクリーン両端部に対応位置した装置本体に設ける支持部に揺動可能に支持された一対のリング板と、筒状スクリーンの外面に沿ってその長手方向に伸びるように、前記各リング板間を配置したブラシ部と、前記リング板に所定間隔をおいて円弧状に配置した複数のブッシュと、この各ブッシュに噛合するとともに、回転方向を前記リング板の所定の回動変位位置で反転し得るように駆動するスプロケットとからなるものである。
【発明の効果】
【００１０】
以上のように、請求項１に係る発明は、投入口から投入された混合ゴミが、移送スクリウでほぐされて筒状スクリーン内に送り込まれ、複数のパドルによって叩打されて小片に砕け、破片ゴミとスラリー状の生ゴミとが分離し、生ゴミのみが筒状スクリーンから生ゴミ排出口に排出し、一方の破片ゴミは、破片ゴミ排出口から外部に排出されるから、ゴミ分別が確実で、分別後の生ゴミには破片が混在せず、肥料などへの再利用ができるという効果を奏する。
【００１１】
また、請求項２に係る発明は、請求項１に係る発明が奏する効果に加えて、各パドルがシャフトの軸線と所定角度をなすとともに、パドルを多数設け、パドルの回転力によって生じる風力で軽量破片ゴミを、パドル板の移送力で非軽量破片ゴミを、それぞれスラリー状の生ゴミから分離して、破片ゴミ排出口に向けて送出するので、スラリー状の生ゴミと破片ゴミの分離がより確実になされるという効果を奏する。
【００１２】
さらに、請求項３に係る発明は、請求項１又は請求項２に係る発明が奏する効果に加えて、各パドルの長さ及びシャフトの軸線に対する傾斜角度を調節できるとともに、取り外し可能なので、シャフトを交換することなく、パドルの構成を換えることができ、処理対象物に合わせてパドルの機能を変更することができるという効果を奏する。
【００１３】
さらにまた、請求項４に係る発明は、請求項１〜請求項３に係る発明の効果に加えて、筒状スクリーンの外面を擦ることによって、スラリー状の生ゴミを掻き落とすので、透孔の目詰まりを防止できるという効果を奏する。
【発明を実施するための最良の形態】
【００１４】
次に、本発明の好適な実施形態を添付図面の図１〜図３に基づいて詳細に説明する。ここにおいて、図１は一部を縦断した分別装置の正面図、図２は図１の拡大Ａ−Ａ線断面図、図３は掻き落とし部材の拡大縦断面図、図４掻き落とし部材におけるブラシ部の拡大正面図である。
【００１５】
図１〜図３に示すように、分別装置１は、一次分別後のほぼスラリー状の生ゴミ（以下生ゴミという）中にプラスチック類や紙類などの破片ゴミが混じった混合ゴミを投入する投入口２、生ゴミを排出する生ゴミ排出口３、前記破片ゴミを排出する破片ゴミ排出口４を有する装置本体５を備えている。また、前記分別装置１には、生ゴミを通過させる多数の透孔６を周面に有するとともに、前記生ゴミ排出口３に対応するように配置した筒状スクリーン７と、前記投入口２から投入された前記混合ゴミに水を含ませて水分含有量を調節するための注水部８と、前記投入口２の下部に配置され、前記注水された前記混合ゴミを攪拌しながら前記筒状スクリーン７に移送する回転可能な移送スクリウ９とを備える。さらに前記分別装置１には、前記筒状スクリーン７内に前記移送スクリウ９と同一軸線上に設けた回転可能なシャフト１０に多数突設し、前記混合ゴミを叩打しながら、生ゴミのみを筒状スクリーン７の透孔６から生ゴミ排出口３に排出するとともに、破片ゴミを移送して前記破片ゴミ排出口４から排出するパドル１１と、前記筒状スクリーン７外面を擦るように構成した掻き落とし部材１２とを備える。
【００１６】
図１及び図４に示すように、筒状スクリーン７は、周面に多数の透孔６を有する二つの筒体７ａ，７ｂを中央で連接してなり、各筒体７ａ，７ｂ（図４では一方のみ図示）の各外側端部は装置本体５の端部側に設けた各支持部１３Ｂに固定され、また、各筒体７ａ，７ｂの各内側端部は装置本体５の中央側に設けた支持部１３Ｃに固定されている。
【００１７】
図１及び図２に示す各パドル１１は、図では明らかでないが、シャフト１０にその基端をネジで固定することで取り外し可能に設けたパドル杆１１ａの先端側に、前記シャフト１０の軸線と所定角度をなすように傾斜させたパドル板１１ｂを設けてなるものである。また、同じく図では明らかでないが、前記各パドル杆１１ａは、外管とこれに対して摺動及び回転可能な内管の二重管からなって、内管を軸線方向に摺動して長さ調節することでパドル板１１ｂと筒状スクリーン７の内周面との間隔を変更可能であり、また、内管を回転調節して、パドル板１１ｂのシャフト１０の軸線に対する傾斜角度を変更可能である。これらパドル１１は、シャフト１０の軸線に対して垂直な同一面に放射状に複数、本実施形態では８本突設し、この８本の放射状パドル群をシャフト１０の軸方向に所定間隔をおき、かつスクリウ９との連接部位から前記破片ゴミ排出口４の間にわたって多数配設している。
【００１８】
図２〜図４に示すように、掻き落とし部材１２は、筒状スクリーン７の各筒体７ａ，７ｂの両外側端に対応位置して、装置本体５の両側端部及び中央部の前記各支持部１３ｂ，１３ｃの三つずつのコロ１３ａに往復回動可能に支持された、それぞれ一対ずつのリング板１４と、各リング板１４間に筒体７ａ，７ｂの長手方向に伸びるように配置し、前記各筒体７ａ，７ｂの外周面を擦るためのブラシ部１５と、前記各支持部１３ｃに支持されたリング板１４に所定間隔をおいて円弧形状に配置した複数のブッシュ１６と、この各ブッシュ１６に噛合するとともに、回転方向を前記リング板１４の所定の回動変位位置で反転し得るように構成した一対のスプロケット１７とからなる。
【００１９】
図２及び図４に示すように、前記ブラシ部１５は、各筒体７ａ，７ｂの外周面に沿って、その長手方向に伸びるように配置した固定バー１５ａと、この固定バー１５ａに先端が各筒体７ａ，７ｂ外周面に当接するよう突設したブラシ１５ｂとからなる。また図２及び図３に示すように、前記一対のスプロケット１７（一方のみ図示）は、駆動部であるモータ１７ａの駆動力を可変して伝達する駆動力伝達部１７ｂに連繋された駆動軸１７ｃに取り付けられている。すなわち、該駆動軸１７ｃは、筒状スクリーン７の一方の筒体７ａと他方の筒体７ｂの外周面に沿って延長し、その各端部に前記一対のスプロケット１７を取り付けてある。前記スプロケット１７の回転変異位置での反転は、所定の変位位置に配置した一対のリミットスイッチ（図示せず）の入切により、前記モータ１７ａを反転駆動させることでなされる。さらに、図１〜図３に示すように、各ブッシュ１６はボルト１６ａに嵌着され、リング板１４の両側近傍から下部にわたる部位に所定間隔をおいて円弧形状に配置してある。
【００２０】
図１に示すように、移送スクリウ９とシャフト１０は同軸上に一体的に連設されており、前記移送スクリウ９の外端部は、装置本体５端部近傍に設けた軸受け１８ｂに回転可能に軸支されるとともに、シャフト１０の外端部は、装置本体５の前記とは反対側の端部近傍に設けた軸受け１８ａに回転可能に軸支され、前記スクリウ９の軸受け１８ｂの外側に設けた駆動力伝達部１９ａを介して駆動部であるモータ１９ａに連繋されている。
【００２１】
なお、図１及び図２中、符号２０は蓋体で、筒状スクリーン７のほぼ上半分の部分を開閉自在に覆うように構成されている。
【００２２】
続いて、上記分別装置の動作について説明すると、先ず、投入口２から投入された混合ゴミは、注水部８からの注水により分離後の生ゴミの醗酵に適した水分含有量に調節され、移送スクリウ９で攪拌されて筒状スクリーン７内に送り込まれ、多数のパドル１１によって叩かれながら移送され、破片ゴミが生ゴミと分離する。そして、分離した生ゴミのみがパドル板１１ｂに押し出されて筒状スクリーン７の透孔６から生ゴミ排出口３に落下、排出され、一方破片ゴミは、各パドル１１の回転により生じた風により軽量破片ゴミは吹き飛ばされ、非軽量破片ゴミは傾斜したパドル板１１ｂに叩動されて、ともに破片ゴミ排出口４に運ばれ、外部に排出される。
【００２３】
なお、本発明は上記実施形態になんら限定されるものではなく、例えば、掻き落し部材において、ブラシ部１５を駆動するための機構は、スプロケット１７とブッシュ１６を用いたものでなくてもよい。また、筒状スクリーン７は二つの筒体７ａ，７ｂではなく一つの筒体、あるいは三つの筒体で構成してもよい。さらに、パドル杆１１ａをシャフト１０に取り外し可能に固定する手段、パドル杆１１ａの長さ調節手段及び回転調節手段も適宜変更可能である。
【図面の簡単な説明】
【００２４】
【図１】一部を縦断した分別装置の正面図。
【図２】図１の拡大Ａ−Ａ線断面図。
【図３】掻き落とし部材の拡大縦断面図。
【図４】掻き落とし部材におけるブラシ部の拡大正面図。
【符号の説明】
【００２５】
１    分別装置
２    投入口
３    生ゴミ排出口
４    破片ゴミ排出口
５    装置本体
６    透孔
７    筒状スクリーン
７ａ，７ｂ    筒体
８    注水部
９    移送スクリウ
１０    シャフト
１１    パドル
１１ａ    パドル杆
１１ｂ    パドル板
１２    掻き落し部材
１３    支持部
１３ａ    コロ
１４    リング板
１５    ブラシ部
１５ａ    固定バー
１６    ブッシュ
１６ａ    ボルト
１７    スプロケット
１７ａ    モータ
１７ｂ    駆動力伝達部
１７ｃ    駆動軸
１８ａ，１８ｂ    軸受け
１９    モータ
１９ａ    駆動力伝達部
２０    蓋体
【図１】
2010082559.tif 000003
【図２】
2010082559.tif 000004
【図３】
2010082559.tif 000005
【図４】
2010082559.tif 000006